(57)【要約】【課題】市販されているＤＴＰソフトウェアの作業性は生かしたまま、任意の書体／色の袋文字を用いた値組みを作成することができる値組み装置を提供する。【解決手段】値組み装置１は、値組みに用いる文字と袋文字画像１３２とを色付き書体に対応付けた形態で記憶している袋文字画像ＤＢ１３と、袋文字画像１３２を用いて生成した値組み画像を埋め込む値組みボックスをユーザに作成させる値組みボックス作成手段１０と、値組みボックスの属性情報として価格文字列と色付きの書体をユーザに少なくとも指定させる属性情報指定手段１１と、価格文字列に含まれる文字毎に、該属性情報の色付きの書体に対応する袋文字画像１３２を袋文字画像ＤＢ１３から抽出し、値組みパターンに基づいて袋文字画像１３２を文字順に並べグループ化することで値組み画像を生成する値組み画像生成手段１２を備えている。【選択図】図１
2013114566.tif 000002
【特許請求の範囲】
【請求項１】
値組みに用いる文字と袋文字画像とを色付き書体に対応付けた形態で記憶している袋文字画像ＤＢと、袋文字画像を用いて生成した値組み画像を埋め込む値組みボックスをユーザに作成させ、ユーザが作成した値組みボックスの領域をページレイアウトに保存する値組みボックス作成手段と、ユーザが前記値組みボックスを指定すると、ユーザが指定した値組みボックスの属性情報として価格文字列と色付きの書体をユーザに少なくとも指定させ、ユーザが指定した前記値組みボックスに対応付けて保存する属性情報指定手段と、前記属性情報指定手段が保存した属性情報の価格文字列に含まれる文字毎に、該属性情報の色付きの書体に対応する袋文字画像を前記袋文字画像ＤＢから抽出し、値組みパターンに基づいて袋文字画像を文字順に並べグループ化することで前記値組み画像を生成し、前記属性情報取得手段が属性情報を保存した前記値組みボックスの領域に表示すると共に該値組みボックスに対応付けて値組み画像を保存する値組み画像生成手段を備えていることを特徴とする値組み装置。
【請求項２】
前記属性情報指定手段は、前記値組みボックスの属性情報として画像サイズをユーザから取得し、前記値組み画像生成手段は、前記袋文字画像ＤＢから抽出した袋文字画像を拡大又は縮小することで、属性情報に含まれる画像サイズに抽出した袋文字画像のサイズを合わせてから前記値組み画像を生成することを特徴とする、請求項１に記載した値組み装置。
【請求項３】
前記属性情報指定手段は、複数の値組みパターンの中からユーザが指定した値組みパターンを属性情報に含ませ、前記値組み画像生成手段は、属性情報で指定された値組みパターンに基づいて前記値組み画像を生成することを特徴とする、請求項１または２に記載した値組み装置。
【請求項４】
前記複数の値組みパターンの中に重ね組パターンを含んでいることを特徴とする、請求項３に記載した値組み装置。
【請求項５】
値組みに利用する文字に対応する同サイズの袋文字画像を作成するエディタを有し、エディタにより生成された袋文字画像を前記袋文字画像ＤＢに登録する袋文字画像生成手段を備えていることを特徴とする、請求項１乃至４のいずれか一項に記載した値組み装置。
【請求項６】
ＤＴＰソフトウェアに追加するプラグインソフトウェアであって、袋文字画像を用いて生成した値組み画像を埋め込む値組みボックスをユーザに作成させ、ユーザが作成した値組みボックスの領域を取得する値組みボックス作成手段と、ユーザが前記値組みボックスを指定すると、ユーザが指定した値組みボックスの属性情報として価格文字列と色付きの書体をユーザに少なくとも指定させ、ユーザが指定した前記値組みボックスに対応付けて保存する属性情報指定手段と、前記属性情報指定手段が保存した属性情報の価格文字列に含まれる文字毎に、値組みに用いる文字と袋文字画像とを色付き書体に対応付けた形態で記憶している袋文字画像ＤＢから該属性情報の色付きの書体に対応する袋文字画像を取得し、値組みパターンに基づいて袋文字画像を文字順に並べグループ化することで前記値組み画像を生成し、前記属性情報指定手段が属性情報を保存した値組みボックスに対応付けて前記値組み画像を保存する値組み画像生成手段として、コンピュータを機能させるプラグインソフトウェア。
【発明の詳細な説明】
【技術分野】
【０００１】
輪郭線だけがある袋文字を用いて、チラシなどに印刷される商品の価格を組版するための技術に関する。
【背景技術】
【０００２】
販売店のチラシにおける商品価格の組版には、輪郭線だけがある袋文字を用いたチラシ特有の組版である値組みが用いられ、チラシを印刷する印刷会社では、ＤＴＰソフトウェア（Desktop publishing）にて値組みを容易に行えるようにしたい要望がある。
【０００３】
値組みで用いられる袋文字のフォントはＤＴＰソフトウェアにて用意されていないことが多いため、ＤＴＰソフトウェアにて値組みを行えるようにするためには、使用する文字に対応する袋文字画像が必要になり、例えば、特許文献１では、使用する文字の袋文字画像を自動的に生成し出力する技術が開示されている。
【０００４】
特許文献１で開示されている発明では、原画データを変換した２値画像を均等に膨張または収縮させた後、膨張または収縮した２値画像の輪郭を抽出してベクトルデータを生成し、該ベクトルデータのみまたは該ベクトルデータと入力された２値画像とを重畳させることで袋文字画像を自動的に生成する。
【０００５】
しかしながら、袋文字の画像データを自動生成するアプローチは独自のＤＴＰソフトウェアでの実装を前提としており、市販のＤＴＰソフトウェアのプラグインとして実装することは困難であるばかりか、以下の問題があった。
問題１)文字から自動的に袋文字を生成するため、縁取り幅に規則性のないデザイン性のある袋文字を利用できない。
問題２)原画データの輪郭を抽出したベクトルデータ、または、該ベクトルデータと入力された２値画像とを重畳させた画像データが袋文字になるため、２色以上からなる袋文字を利用できない。
問題３)袋文字を重ねた状態で配置する重ね組みに対応していない。
【０００６】
このため、市販されているＤＴＰソフトウェアにて値組みする場合、例えば、文字の輪郭線を太らせ、別の色をつけることにより袋文字を作成する等の手作業が必要になり、特に重ね組の場合に手間が掛かる上、また、商品価格が変更になった場合も手作業による処理をやり直さねばならなかった。
【０００７】
また、袋文字の１文字を画像データとしてあらかじめ作成しておき、これらの画像データを手作業でレイアウトする方法も考えられるが、この方法もきれいに配置するのに手間が掛かる上、商品価格を変更する際には画像データを差替えて再配置する必要があった。
【先行技術文献】
【特許文献】
【０００８】
【特許文献１】特開昭６２−００９４８１号公報
【発明の概要】
【発明が解決しようとする課題】
【０００９】
そこで、本発明は、市販されているＤＴＰソフトウェアの作業性は生かしたまま、任意の書体／色の袋文字を用いた値組みを作成することができる値組み装置及びＤＴＰソフトウェアに追加されるプラグインソフトウェアを提供することを目的とする。
【課題を解決するための手段】
【００１０】
上述した課題を解決する第１の発明は、値組みに用いる文字と袋文字画像とを色付き書体に対応付けた形態で記憶している袋文字画像ＤＢと、袋文字画像を用いて生成した値組み画像を埋め込む値組みボックスをユーザに作成させ、ユーザが作成した値組みボックスの領域をページレイアウトに保存する値組みボックス作成手段と、ユーザが前記値組みボックスを指定すると、ユーザが指定した値組みボックスの属性情報として価格文字列と色付きの書体をユーザに少なくとも指定させ、ユーザが指定した前記値組みボックスに対応付けて保存する属性情報指定手段と、前記属性情報指定手段が保存した属性情報の価格文字列に含まれる文字毎に、該属性情報の色付きの書体に対応する袋文字画像を前記袋文字画像ＤＢから抽出し、値組みパターンに基づいて袋文字画像を文字順に並べグループ化することで前記値組み画像を生成し、前記属性情報取得手段が属性情報を保存した前記値組みボックスの領域に表示すると共に該値組みボックスに対応付けて値組み画像を保存する値組み画像生成手段を備えていることを特徴とする値組み装置である。
【００１１】
更に、任意の書体／色の袋文字のサイズを変更できるように、第２の発明は、第１の発明に記載した値組み装置において、前記属性情報指定手段は、前記値組みボックスの属性情報として文字サイズをユーザから取得し、前記値組み画像生成手段は、前記袋文字画像ＤＢから抽出した袋文字画像を拡大又は縮小することで、属性情報に含まれる文字サイズに抽出した袋文字画像のサイズを合わせてから前記値組み画像を生成することを特徴とする。
【００１２】
更に、第３の発明は、値組みパターンを変更できるように、第１の発明または第２の発明に記載した値組み装置において、前記属性情報指定手段は、複数の値組みパターンの中からユーザが指定した値組みパターンを属性情報に含ませ、前記値組み画像生成手段は、属性情報で指定された値組みパターンに基づいて前記値組み画像を生成することを特徴とする。
【００１３】
更に、第４の発明は、第３の発明に記載した値組み装置において、前記複数の値組みパターンの中に重ね組パターンを含んでいることを特徴とする。
【００１４】
更に、第５の発明は、袋文字画像を作成できるように、第１の発明乃至第４の発明のいずれか一項に記載した値組み装置において、値組みに利用する文字に対応する同サイズの袋文字画像を作成するエディタを有し、エディタにより生成された袋文字画像を前記袋文字画像ＤＢに登録する袋文字画像生成手段を備えていることを特徴とする。
【００１５】
更に、第６の発明は、ＤＴＰソフトウェアに追加するプラグインソフトウェアであって、袋文字画像を用いて生成した値組み画像を埋め込む値組みボックスをユーザに作成させ、ユーザが作成した値組みボックスの領域を取得する値組みボックス作成手段と、ユーザが前記値組みボックスを指定すると、ユーザが指定した値組みボックスの属性情報として価格文字列と色付きの書体をユーザに少なくとも指定させ、ユーザが指定した前記値組みボックスに対応付けて保存する属性情報指定手段と、前記属性情報指定手段が保存した属性情報の価格文字列に含まれる文字毎に、値組みに用いる文字と袋文字画像とを色付き書体に対応付けた形態で記憶している袋文字画像ＤＢから該属性情報の色付きの書体に対応する袋文字画像を取得し、値組みパターンに基づいて袋文字画像を文字順に並べグループ化することで前記値組み画像を生成し、前記属性情報指定手段が属性情報を保存した値組みボックスに対応付けて前記値組み画像を保存する値組み画像生成手段として、コンピュータを機能させるプラグインソフトウェアである。
【発明の効果】
【００１６】
上述した本発明によれば、書体、文字色及びふち色が定義される色付きの書体毎に、値組みに使用する文字（例えば、0〜9の数字）に対応する袋文字画像を作成しておけば、ＤＴＰの作業性は生かしたまま、任意の書体／色の袋文字を用いた値組みを作成することができる値組み装置及びプラグインソフトウェアを提供できる。
【図面の簡単な説明】
【００１７】
【図１】本実施形態に係る値組み装置に備えられた機能を説明する図。
【図２】本実施形態に係る袋文字画像ＤＢを説明する図。
【図３】値組みボックスを作成する際の値組み装置の動作を説明する図。
【図４】値組みボックスを作成する際のＤＴＰソフトウェアの画面を説明する図。
【図５】値組みボックスが指定された際の値組み装置の動作を説明する図。
【図６】値組みボックスの属性情報を指定するためのダイアログを説明する図。
【図７】値組み画像を生成する内容を説明する図。
【図８】値組み画像が表示された際のＤＴＰソフトウェアの画面を説明する図。
【発明を実施するための形態】
【００１８】
ここから、本発明にかかる値組み装置の好適な実施形態について図面を参照しながら、本発明について詳細に説明する。なお、これから説明する実施形態は本発明の一実施形態にしか過ぎず、本発明は、これから説明する実施形態に限定されることなく、種々の変形や変更が可能である。
【００１９】
図１は、本実施形態に係る値組み装置に備えられた機能を説明する図で、図２は、本実施形態に係る袋文字画像ＤＢ１３を説明する図である。
【００２０】
本実施形態に係る値組み装置１は、InDesign（登録商標）やQuarkXpress（登録商標）など、チラシやパンフレットなどを編集する作業を行うためのＤＴＰソフトウェア（DTP: Desktop Publishing）が実装されたコンピュータで、ＤＢ（DB: Database）として、値組みに用いる文字と袋文字画像１３２とを色付き書体に対応付けた形態で記憶している袋文字画像ＤＢ１３を備え、更に、ＤＴＰソフトウェアのプラグインで実現される機能として、袋文字画像１３２を用いて生成した値組み画像を埋め込む値組みボックスをユーザに作成させ、ユーザが作成した値組みボックスの領域をページレイアウトに保存する値組みボックス作成手段１０と、ユーザが値組みボックスを指定すると、ユーザが指定した値組みボックスの属性情報として価格文字列と色付きの書体をユーザに少なくとも指定させ、ユーザが指定した値組みボックスに対応付けて保存する属性情報指示手段１１と、属性情報指示手段１１が保存した属性情報の価格文字列に含まれる文字毎に、該属性情報の色付きの書体に対応する袋文字画像１３２を袋文字画像ＤＢ１３から抽出し、値組みパターンに基づいて袋文字画像１３２を文字順に並べグループ化することで値組み画像を生成し、属性情報指示手段１１が属性情報を保存した値組みボックスに対応付けて値組み画像を保存する値組み画像生成手段１２と、値組みに利用する文字に対応する同サイズの袋文字画像１３２を作成するエディタを有し、エディタにより生成された袋文字画像１３２を袋文字画像ＤＢ１３に登録する袋文字画像生成手段１４を備えている。
【００２１】
なお、ユーザに設定させる値組みボックスの属性情報は価格文字列と色付きの書体に限らず、本実施形態の値組み装置１の属性情報指示手段１１は、値組みボックスの属性情報として、文字サイズと値組みパターンをユーザに設定させ、袋文字画像ＤＢ１３から抽出した袋文字画像１３２を拡大または縮小して属性情報で指定されている文字サイズに調整した後、属性情報で指定されている値組みパターンに基づいて袋文字画像１３２を文字順に並べグループ化することで値組み画像を生成する。
【００２２】
図２で図示したように、値組みに用いられる袋文字画像１３２は、文字の色付きの書体毎に、値組みで使用する各文字（ここでは、「0〜9」までの数字と、「￥」、「円」の記号）に対応する同じ大きさの袋文字画像１３２が予め作成され、作成された袋文字画像１３２と文字とを色付きの書体に対応付けた形態で袋文字画像ＤＢ１３に記憶されている。
【００２３】
図２（ａ）は袋文字画像ＤＢ１３の内容を説明する図で、袋文字画像ＤＢ１３には、袋文字画像１３２と文字とが色付きの書体に対応付けられた形態で記憶するために、色付きの書体毎にフォルダ１３０が設けられ、更に、各フォルダ１３０に対応する色付きの書体を記述した構成情報ファイル１３１が記憶される。
【００２４】
図２（ｂ）はフォルダ１３０の内容を説明する図で、袋文字画像ＤＢ１３のフォルダ１３０には、フォルダ１３０の色付きの書体に対応する袋文字画像１３２が文字に対応付けられて記憶され、本実施形態では、袋文字画像１３２と文字を対応付けるために、袋文字画像１３２に対応する文字が袋文字画像１３２のファイル名に利用されている。加えて、袋文字画像ＤＢ１３のフォルダ１３０には、フォルダ１３０に記憶された各袋文字画像１３２のサイズ及びピッチが少なくとも記述されたサイズ情報ファイル１３３が記憶されている。
【００２５】
図３は、チラシなどのページレイアウトに値組みボックスを作成する際の値組み装置１の動作を説明する図である。
【００２６】
チラシなどのページレイアウトに値組みボックスを作成する際に動作する手段は、値組み装置１の値組みボックス作成手段１０で、値組み装置１の値組みボックス作成手段１０は、チラシなどのページレイアウトに値組みボックスを作成する操作を受けると作動し、ユーザに値組みボックスをページレイアウト上に作成させ（Ｓ１）、値組みボックスの領域をページレイアウトに保存して（Ｓ２）、図３の手順は終了する。
【００２７】
図４は、値組みボックスを作成する際のＤＴＰソフトウェアの画面２を説明する図である。値組みに係るプラグインソフトウェアがインストールされることで、値組みを行うためのアイコン２２がＤＴＰソフトウェアのツールボックス２１に表示され、アイコン２２がマウス等により選択されることで、チラシなどのページレイアウト２０に値組みボックス２４を作成する操作がなされることになる。
【００２８】
図４において、値組みボックス２４をページレイアウト２０上に作成させる操作は、マウス等によりポインタ２３（ここでは十字マーク）を動かして値組みボックス２４の開始位置をユーザに指定させた後、ポインタ２３を斜めに動かして値組みボックス２４の終了位置をユーザに指定させる操作になり、この操作により、矩形の値組みボックス２４がページレイアウト２０上に作成されることになる。
【００２９】
図５は、ページレイアウトに配置された値組みボックスが指定された際の値組み装置１の動作を説明する図である。ページレイアウト上に配置された値組みボックスが指定された際に動作する手段は、値組み装置１の属性情報指示手段１１と値組み画像生成手段１２で、図４のページレイアウト２０上に作成された一つの値組みボックス２４がマウス等により指定されると、値組み装置１の属性情報指示手段１１が作動し、ユーザが指定した値組みボックスの属性情報として、価格文字列、色付きの書体、文字サイズ及び値組みパターンをユーザに指定させ、指定された値組みボックスに関連付けて属性情報を記憶する（Ｓ１０）。
【００３０】
図６は、値組みボックスの属性情報を指定するためのダイアログ３を説明する図である。図６で図示したダイアログ３には、値組みする価格文字列を入力するためのテキストボックス３０、値組みに利用する袋文字画像１３２の色付きの書体を指定するチェックボックス３１、文字サイズを指定するテキストボックス３２及び値組みパターン（ここでは、重ね組の有無）を指定するチェックボックス３３が含まれ、色付きの書体を設定するチェックボックス３１は、袋文字画像ＤＢ１３の構成情報ファイル１３１に記述されている色付きの書体の数だけ表示される。なお、図５では、値組みする価格文字列は「128,000円」、色付きの書体は「書体：書体Ａ、文字：赤、ふち：黄色」、袋文字画像１３２のサイズは「32ポイント」、配置パターンは「重ね組有り」にそれぞれ設定されている。
【００３１】
なお、図６では値組みの書式の一例を図示したに過ぎず、値組みの書式の設定内容については様々なバリエーションが考えられる。例えは、文字サイズを数値入力ではなく大・中・小から選ばせたり、値組みの傾斜角度を指定させたり、重ね組みする際の重ね量を指定可能にすることもできる。
【００３２】
値組み装置１の属性情報指示手段１１により属性情報が値組みボックスに関連付けてられて保存されると、値組み装置１の値組み画像生成手段１２が作動し、値組み装置１の値組み画像生成手段１２は、属性情報指示手段１１が保存した属性情報の価格文字列に含まれる文字毎に、該属性情報の色付きの書体に対応する袋文字画像１３２を袋文字画像ＤＢ１３から抽出し（Ｓ１１）、属性情報の文字サイズになるように抽出した袋文字画像１３２を拡大または縮小した後（Ｓ１２）、属性情報の値組みパターンに基づいて袋文字画像１３２を文字順に並べグループ化することで値組み画像を生成し（Ｓ１３）、属性情報指示手段１１が属性情報を保存した値組みボックスの領域に表示すると共に該値組みボックスに対応付けて値組み画像を保存する（Ｓ１４）として、図５の手順は終了する。
【００３３】
図７は、値組み画像を生成する内容を説明する図である。図５のＳ１１において、価格文字列（図７（ａ））を値組みする際に用いられる袋文字画像１３２は属性情報の色付きの書体に対応した袋文字画像１３２になり、値組み装置１の値組み画像生成手段１２は、袋文字画像ＤＢ１３の構成情報ファイル１３１を参照し、書式に含まれる色付きの書体に対応したフォルダ１３０から袋文字画像１３２を抽出することになる（図７（ｂ））。
【００３４】
なお、図７では袋文字画像１３２を分かり易くするために、袋文字画像１３２の文字を「白」そしてふちを「黒」にしているが、実際の袋文字画像１３２は属性情報の色付きの書体に依存する。例えば、色付きの書体が「書体：書体Ａ、文字：赤、ふち：黄色」であれば、図７において袋文字画像１３２の「白」の箇所が「赤」になり、また、図７において袋文字画像１３２の「黒」の箇所が「黄色」になる。
【００３５】
また、図５のＳ１２において、値組み装置１の値組み画像生成手段１２は、属性情報の文字サイズになるように抽出した袋文字画像１３２を拡大または縮小することになり、値組み装置１の値組み画像生成手段１２は、属性情報の色付きの書体に対応したフォルダのサイズ情報ファイルに記載されているサイズ及びピッチを参照し、属性情報の文字サイズに適合するように拡大又は縮小した袋文字画像１３２ａを生成する（図７（ｃ））。
【００３６】
図５のＳ１３において、値組み装置１の値組み画像生成手段１２は、属性情報の値組みパターンに基づいて袋文字画像１３２を文字順に並べグループ化することで値組み画像を生成することになり、ここでは、重ね組された値組み画像２５が生成される（図７（ｄ））。
【００３７】
なお、図７（ｄ）のように、重ね組みする際は、値組みパターンとして、値組みに利用される文字毎に間隔と上下位置が記憶され、価格文字列の先頭の文字に対応する袋文字画像１３２から順に、文字に対応する間隔と上下位置に従い袋文字画像１３２を配置することで重ね組みされる。
【００３８】
図８は、値組み画像が表示された際のＤＴＰソフトウェアの画面２を説明する図である。図７で図示したように、図５の値組み画像２５は指定された値組みボックス２４内の中央に配置されるように表示される。
【００３９】
最後に、値組み装置１の袋文字画像生成手段１４について説明する。値組み装置１の袋文字画像生成手段１４は、入力した文字の輪郭線を太らせる機能、グラデーション機能及び塗り潰し機能などを備えたグラフィックエディタを利用して実現される手段で、本実施形態では、グラフィックエディタを用いて値組みで利用される文字毎に該文字に対応する袋文字画像１３２をユーザに生成させ、文字を利用したファイル名を付けて袋文字画像１３２を新規に生成したフォルダに保存すると共に、各袋文字画像１３２のサイズ及びピッチが少なくとも記述されたサイズ情報ファイルを該フォルダに保存する処理を行う。
【符号の説明】
【００４０】
１    値組み装置
１０    値組みボックス作成手段
１１    属性情報指示手段
１２    値組み画像生成手段
１３    袋文字画像ＤＢ
１４    袋文字画像生成手段
【図１】
2013114566.tif 000003
【図２】
2013114566.tif 000004
【図３】
2013114566.tif 000005
【図４】
2013114566.tif 000006
【図５】
2013114566.tif 000007
【図６】
2013114566.tif 000008
【図７】
2013114566.tif 000009
【図８】
2013114566.tif 000010